(57)【要約】【課題】かごが昇降中に誤って戸が開いた場合でも、機械的な係合機構が破損することを防止する。【解決手段】かご側に設けられ、戸開状態で突出位置に移動し、戸閉状態で引き込み位置に移動する可動係合子（１１）を有する可動係合機構部（１０）と、乗場側に設けられ、突出した可動係合子と係合することで、かごの昇降を機械的に防止する被係合子（２１）を有する被係合機構部（２０）とを備え、被係合機構部（２０）は、被係合子が摺動可能に取付けられた取付台（２２）と、一端が取付台に、他端が被係合子の先端にそれぞれ回動可能に取り付けられ、突出位置まで移動した可動係合子の先端と接触することで、被係合子を係合可能位置から可動係合子と衝突しない退避位置まで移動させる排斥板（２８）とを備える。【選択図】図２
2011162304.tif 000002
【特許請求の範囲】
【請求項１】
かご側に設けられ、かごの戸が開状態になることで突出位置に移動し、前記かごの戸が閉状態になることで引き込み位置に移動する可動係合子を有する可動係合機構部と、
乗場側に設けられ、かごが乗場位置にいる状態で前記突出位置まで移動した前記可動係合子と係合することで、かごの昇降を機械的に防止する被係合子を有する被係合機構部と
を備えたエレベータのかご固定装置であって、
前記被係合機構部は、
前記被係合子が摺動可能に取付けられた取付台と、
一端が前記被係合子の先端に回動可能に取り付けられ、他端が前記取付台に回動可能に取り付けられ、前記突出位置まで移動した前記可動係合子の先端と接触することで、前記被係合子を前記可動係合子と係合する係合可能位置から前記可動係合子と衝突しない退避位置まで移動させる排斥板と
を備えることを特徴とするエレベータのかご固定装置。
【請求項２】
請求項１に記載のエレベータのかご固定装置において、
前記被係合機構部は、
前記退避位置まで移動した前記被係合子を前記退避位置のまま保持状態とする保持部と、
前記保持部に対して外力を与えることで前記保持状態を解除し、前記被係合子を前記係合可能位置に復元させる保持力解除部と
をさらに備えることを特徴とするエレベータのかご固定装置。
【請求項３】
請求項２に記載のエレベータのかご固定装置において、
前記被係合機構部は、
エレベータのかごの昇降制御を行うコントローラがかごの移動を停止させることができるように、前記被係合子が前記退避位置にいる状態を検出する位置検出器
をさらに備えることを特徴とするエレベータのかご固定装置。
【発明の詳細な説明】
【技術分野】
【０００１】
本発明は、乗場でかごが戸開しているときに、リレベル範囲を超えてかごが昇降することを防止するエレベータのかご固定装置に関する。
【背景技術】
【０００２】
従来のエレベータのかご固定装置としては、かごが戸開しているときに、かご側の可動係合子（突出棒）を突出させて乗場側の被係合子（受け金）に係合させる構成を備えることで、リレベル範囲を超えてかごが昇降することを防止するものがある（例えば、特許文献１参照）。このようにして、乗場でかごが戸開しているときには、機械的な係合を行うことで、かごの昇降を防止している。
【先行技術文献】
【特許文献】
【０００３】
【特許文献１】特開２００９−１３８７号公報
【発明の概要】
【発明が解決しようとする課題】
【０００４】
しかしながら、従来技術には、以下のような課題がある。
従来のエレベータのかご固定装置では、かごが開くことで、かご側の可動係合子を突出させて乗場側の被係合子に係合させるという機械的な係合手段を用いている。しかしながら、乗場ではない位置（すなわち、可動係合子と被係合子とが係合する位置からずれた位置）で、かごが走行中に誤ってかごの戸が開くと、突出したかご側の可動係合子が乗場側の被係合子に衝突するという問題があった。
【０００５】
本発明は、前記のような課題を解決するためになされたものであり、かごが昇降中に誤ってかごの戸が開いた場合でも、機械的な係合機構が破損することを防止するエレベータのかご固定装置を得ることを目的とする。
【課題を解決するための手段】
【０００６】
本発明に係るエレベータのかご固定装置は、かご側に設けられ、かごの戸が開状態になることで突出位置に移動し、かごの戸が閉状態になることで引き込み位置に移動する可動係合子を有する可動係合機構部と、乗場側に設けられ、かごが乗場位置にいる状態で突出位置まで移動した可動係合子と係合することで、かごの昇降を機械的に防止する被係合子を有する被係合機構部とを備えたエレベータのかご固定装置であって、被係合機構部は、被係合子が摺動可能に取付けられた取付台と、一端が被係合子の先端に回動可能に取り付けられ、他端が取付台に回動可能に取り付けられ、突出位置まで移動した可動係合子の先端と接触することで、被係合子を可動係合子と係合する係合可能位置から可動係合子と衝突しない退避位置まで移動させる排斥板とを備えるものである。
【発明の効果】
【０００７】
本発明に係るエレベータのかご固定装置によれば、かご側の可動係合子が突出して被係合機構部に設けられた排斥板と接触することで、乗場側の被係合子を、突出した可動係合子と衝突しない位置に退避させることのできる構成を備えることにより、かごが昇降中に誤ってかごの戸が開いた場合でも、機械的な係合機構が破損することを防止するエレベータのかご固定装置を得ることができる。
【図面の簡単な説明】
【０００８】
【図１】本発明の実施の形態１におけるエレベータのかご固定装置の平面図である。
【図２】本発明の実施の形態１におけるエレベータのかご固定装置の正面図である。
【図３】本発明の実施の形態１におけるエレベータのかご固定装置で、かごが乗場位置であり、かごの戸が全開状態の場合の平面図である。
【図４】本発明の実施の形態１におけるエレベータのかご固定装置で、かごが乗場位置であり、かごの戸が全開状態の場合の正面図である。
【図５】本発明の実施の形態１におけるエレベータのかご固定装置で、かごが乗場からずれた位置にあり、かごの戸が全開状態となった場合の平面図である。
【図６】本発明の実施の形態１におけるエレベータのかご固定装置で、かごが乗場からずれた位置にあり、かごの戸が全開状態となった場合の正面図である。
【発明を実施するための形態】
【０００９】
以下、本発明のエレベータのかご固定装置の好適な実施の形態につき図面を用いて説明する。
【００１０】
実施の形態１．
図１は、本発明の実施の形態１におけるエレベータのかご固定装置の平面図であり、かごの上面から見た図である。また、図２は、本発明の実施の形態１におけるエレベータのかご固定装置の正面図であり、かごの側面から見た図である。本実施の形態１におけるエレベータのかご固定装置は、かご１側に設けられた可動係合機構部１０と、乗場側に設けられた被係合機構部２０とで構成されている。
【００１１】
エレベータのかご１は、かご１の左右に配置されるように昇降路内に設けられたレール２でガイドされている。また、かご１は、かご１を支持するかご枠３、およびかご１の正面に設けられたかごの戸４を備えている。
【００１２】
そして、可動係合機構部１０は、突出棒１１、リンク機構用バネ１２、リンク機構１３、カム１４、連動用バネ１５、および連動棒１６を備えている。一方、被係合機構部２０は、受け金２１、受け金取付台２２、受け金用バネ２３、掛け金２４、掛け金用バネ２５、ワイヤー２６、ヒンジ２７、排斥板２８、ガイド２９、および検出スイッチ３０を備えている。
【００１３】
ここで、突出棒１１は、かごの戸４が開状態になることで突出位置に移動し、かごの戸４が閉状態になることで引き込み位置に移動する可動係合子に相当する。また、受け金２１は、突出位置まで移動した突出棒１１と係合することで、かごの昇降を機械的に防止する被係合子に相当する。また、掛け金２４および掛け金用バネ２５は、受け金２１を退避位置で保持するための保持部に相当する。また、受け金用バネ２３およびワイヤー２６は、保持部による受け金２１の保持状態を解除するための保持力解除部に相当する。さらに、検出スイッチ３０は、受け金２１が保持状態の位置にいることを検出する位置検出器に相当する。
【００１４】
次に、本実施の形態１における可動係合機構部１０、および被係合機構部２０の具体的な構成について説明する。
突出棒１１は、かご１を支持しているかご枠３の左右に、摺動可能に取付けられている。リンク機構用バネ１２が設けられたリンク機構１３は、かご枠３に取付けられており、両端が左右に設けられたそれぞれの突出棒１１に連結されている。
【００１５】
かご１の出入り口には、カム１４を設けたかごの戸４が開閉可能に取付けられている。カム１４とリンク機構１３の間には、連動用バネ１５を設けた連動棒１６が、かご１に取付けられている。
【００１６】
突出棒１１と対向した位置に設置された受け金２１は、かご１が乗場に着床したときに、レール２に取付けられた受け金取付台２２に摺動可能に取付けられている。受け金取付台２２には、受け金用バネ２３、掛け金２４、および掛け金用バネ２５が取付けられている。また、掛け金２４には、ワイヤー２６が取付けられている。
【００１７】
受け金２１の先端の上下には、ヒンジ２７を介して排斥板２８の一端が固定されている。また、排斥板２８の他端は、受け金取付台２２に設けられたガイド２９に固定されている。すなわち、排斥板２８は、一端が受け金２１の先端に回動可能に取り付けられ、他端が受け金取付台２２に回動可能に取り付けられている。また、受け金２１の末端には、受け金２１の位置を検出するための検出スイッチ３０が設けられている。
【００１８】
次に、このように構成されたエレベータのかご固定装置の動作について説明する。具体的な構成の説明に用いた先の図１、図２は、かご１が乗場位置であり、かつ、かごの戸４が全閉状態である場合を示している。
【００１９】
これに対して、図３は、本発明の実施の形態１におけるエレベータのかご固定装置で、かご１が乗場位置であり、かごの戸が全開状態の場合の平面図である。また、図４は、本発明の実施の形態１におけるエレベータのかご固定装置で、かご１が乗場位置であり、かごの戸が全開状態の場合の正面図である。
【００２０】
一方、図５は、本発明の実施の形態１におけるエレベータのかご固定装置で、かご１が乗場からずれた位置にあり、かごの戸が全開状態となった場合の平面図である。また、図６は、本発明の実施の形態１におけるエレベータのかご固定装置で、かご１が乗場からずれた位置にあり、かごの戸が全開状態となった場合の正面図である。
【００２１】
図３、図４に示すように、かご１が乗場に着床した状態でかごの戸４が開くと、カム１４により連動棒１６が、かご１の出入り口とは反対方向に押される。その連動棒１６によりリンク機構１３が押され、リンクの変形により突出棒１１が左右に飛出す。この結果、突出棒１１が、図１、図２に示したような引き込み位置から、図３、図４に示したような突出位置まで移動することで、乗場側に設けられている受け金２１に係合する。
【００２２】
このようにして、かご１が乗場の着床位置であり、かつ、かごの戸４が全開状態の場合には、機械的な係合が行われることで、何らかの故障により、リレベル範囲を超えてかご１が昇降するのを防止することができる。
【００２３】
なお、かごの戸４が閉まるとリンク機構用バネ１２と連動用バネ１５の働きによりリンクの変形が元に戻り、突出棒１１は、左右に引っ込んで引き込み位置まで戻り、連動棒１６も元の位置に戻る。この結果、かごの戸４が全閉状態では、機械的な係合が外れ、突出棒１１が引き込み位置に留まるため、突出棒１１が被係合機構部２０と干渉することはない。
【００２４】
一方、図５、図６に示すように、かご１が昇降中（すなわち、かご１が乗場の着床位置にない状態のとき）に、誤ってかごの戸４が開いた場合には、前述と同様に、突出棒１１が左右に飛出し、突出位置まで移動することとなる。しかしながら、本実施の形態１の被係合機構部２０においては、突出棒１１の先端が排斥板２８に接触すると、受け金２１が通常の位置（図３、図４で示したような係合可能位置に相当）より左右に引っ込む構成となっている。
【００２５】
すなわち、排斥板２８は、突出位置まで移動した突出棒１１の先端と接触することで、受け金２１の位置を、突出棒１１と係合する係合可能位置から突出棒１１と衝突しない退避位置へ移動させる働きをする。この結果、かご１から突出棒１１が突出した状態でかご１が昇降した場合にも、突出棒１１が受け金２１に衝突することを防止することができる。
【００２６】
また、突出棒１１の先端が排斥板２８に接触することで、受け金２１が係合可能位置より左右に引っ込んで退避位置まで移動すると、掛け金用バネ２５の力で掛け金２４が動作して、受け金２１を退避位置で保持する構成となっている。従って、突出棒１１が突出位置にある状態でかご１が乗場位置を通過した場合にも、受け金２１は引っ込んだ状態が保持されるため、突出棒１１が受け金２１に衝突することを防止することができる。
【００２７】
さらに、突出棒１１の先端が排斥板２８に接触することで、受け金２１が係合可能位置から退避位置に移動し、掛け金２４により保持された状態は、検出スイッチ３０により検出することができる。この結果、エレベータの走行制御部は、この検出スイッチ３０の検出結果に基づいて、かご１を停止させることができる。
【００２８】
また、このようにしてかご１を停止させた後には、ワイヤー２６を操作することで掛け金用バネ２５の力を除くことができる。この結果、掛け金２４が外れ、受け金用バネ２３の力で、受け金２１を元の位置である係合可能位置に復帰させることができる。
【００２９】
以上のように、実施の形態１によれば、かご側の可動係合子（突出棒）が突出して被係合機構部に設けられた排斥板と接触することで、乗場側の被係合子（受け金）を、突出した可動係合子と衝突しない位置に退避させる構成を備えている。この結果、かご側の可動係合子と、乗場側の被係合子とが係合可能な範囲以外の位置にかごがある状態で、誤ってかごの戸が開いてしまった場合にも、突出した可動係合子が被係合子と衝突することを防止することができる。
【００３０】
さらに、一度退避位置まで移動した被係合子をその状態で保持する機構、および保持状態を解除する機構を有するとともに、保持状態を検知できる構成を備えている。従って、かごが昇降中に誤ってかごの戸が開いた場合でも、機械的な係合機構が破損することを防止することができる。
【００３１】
さらに、保持状態を検知した場合には、エレベータの走行制御部は、その検知結果に基づいて、カゴの昇降を停止させることができる。また、保持状態をアナウンスすることもできる。さらに、保持状態を解除して、被係合子を元の状態に復帰させることで、かごの昇降動作を機械的に止める係合機構を有効に働かせる状態に容易に戻すことができる。
【符号の説明】
【００３２】
１  かご、２  レール、３  かご枠、４  かごの戸、１０  可動係合機構部、１１  突出棒（可動係合子）、１２  リンク機構用バネ、１３  リンク機構、１４  カム、１５  連動用バネ、１６  連動棒、２０  被係合機構部、２１  受け金（被係合子）、２２  受け金取付台（取付台）、２３  受け金用バネ、２４  掛け金、２５  掛け金用バネ、２６  ワイヤー、２７  ヒンジ、２８  排斥板、２９  ガイド、３０  検出スイッチ（位置検出器）。
【図１】
2011162304.tif 000003
【図２】
2011162304.tif 000004
【図３】
2011162304.tif 000005
【図４】
2011162304.tif 000006
【図５】
2011162304.tif 000007
【図６】
2011162304.tif 000008